(57)【要約】【課題】  表示部が比較的小さい機器をリモコン操作端末機として用いた場合でも、少ない操作ステップでユーザが希望する情報家電機器の操作ができるようにする。【解決手段】  リモコン操作メニューを表示させる表示部２２に、ユーザの生活スケジュールに応じて、各々の生活行為類型において使用される宅内機器を操作するためのリモコン操作メニューを優先的に表示部２２に表示させる処理制御部２６を備える。この処理制御部２６は、現在時刻情報と予め作成されたユーザの生活行為類型データに含まれる時刻情報とを参照して、現在時刻におけるユーザの生活行為類型を特定し、該生活行為類型に対応する宅内機器を特定するデータ処理部２６２と、特定された宅内機器についての操作が可能なリモコン操作メニューを、現在時刻情報に応じて表示部２２に表示させる表示制御部２６３とを備えている。【選択図】      図２
2007036394.tif 000002
【特許請求の範囲】
【請求項１】
ユーザの居宅内に存在する複数の宅内機器を遠隔的に操作する機能を有する多機種対応型のリモコン操作端末機であって、
前記複数の宅内機器についての所定のリモコン操作メニューを表示する表示部と、
現在時刻情報を発生可能な時計機能部と、
ユーザの生活スケジュールに基づき時刻情報に関連付けて予め設定された生活行為類型データと、該生活行為類型の各々と使用される宅内機器とを対応付けた対応データとを記憶する記憶部と、
前記現在時刻情報と前記生活行為類型データに含まれる時刻情報とを参照して、現在時刻におけるユーザの生活行為類型を特定すると共に、前記対応データを参照して特定された生活行為類型に対応する宅内機器を特定するデータ処理部と、
前記データ処理部で特定された宅内機器についての操作が可能なリモコン操作メニューを、前記現在時刻情報に応じて前記表示部に表示させる表示制御部と
を具備することを特徴とするリモコン操作端末機。
【請求項２】
前記表示制御部は、前記複数の宅内機器の全ての操作選択が可能な初期メニュー又は予め選定された特定の宅内機器についての操作が可能なリモコン操作メニューを表示させる第１の表示モードと、
前記データ処理部で特定された宅内機器についての操作が可能なリモコン操作メニューを表示させる第２の表示モードとが選択的に実行可能とされており、
前記表示制御部は、前記現在時刻情報に応じて前記第２の表示モードを優先的に実行することを特徴とする請求項１に記載のリモコン操作端末機。
【請求項３】
前記記憶部に記憶されている生活行為類型データ及び対応データの新規登録及び書き換えが可能な入力手段を有することを特徴とする請求項１又は２に記載のリモコン操作端末機。
【請求項４】
所定の処理制御手段及び表示部と、
現在時刻情報を発生可能な時計機能部と、
ユーザの生活スケジュールに基づき時刻情報に関連付けて予め設定された生活行為類型データと、該生活行為類型の各々と使用される宅内機器とを対応付けた対応データとを記憶する記憶部とを具備し、
ユーザの居宅内に存在する複数の宅内機器を遠隔的に操作する機能を有する多機種対応型のリモコン操作端末機を動作させるためのプログラムであって、
前記処理制御手段に、
前記現在時刻情報と前記生活行為類型データに含まれる時刻情報とを参照して、現在時刻におけるユーザの生活行為類型を特定する第１処理ステップと、
前記対応データを参照して特定された生活行為類型に対応する宅内機器を特定する第２処理ステップと、
前記特定された宅内機器についての操作が可能なリモコン操作メニューを、前記現在時刻情報に応じて前記表示部に表示させる表示制御ステップと
を実行させることを特徴とするリモコン操作端末機用の動作プログラム。
【発明の詳細な説明】
【技術分野】
【０００１】
本発明は、ユーザの宅内に備えられている各種の宅内機器を遠隔的に操作する機能を有する多機種対応型のリモコン操作端末機及びその動作プログラムに関するものである。
【背景技術】
【０００２】
近年、ホームネットワーク等を介して遠隔操作が可能な宅内機器（情報家電機器）が汎用されつつある。このような情報家電機器は、一台のリモコン操作端末機（例えば据付型のリモコン操作パネル、個人情報端末機或いは携帯電話機等）でその複数を操作対象とすることが可能である。すなわち、宅内に設置されている照明、エアコン、テレビ、給湯器等につき単一のリモコン操作端末機で、それらのＯＮ−ＯＦＦ制御や各種動作制御を行わせることが可能である（例えば、特許文献１参照）。この場合、操作対象とされる情報家電機器についてのリモコン操作メニューを、リモコン操作端末機に備えられている所定の表示部へ画像表示させ、該表示部において操作指示を受け付けるようにする構成が一般的である。
【０００３】
しかし、一台のリモコン操作端末機により操作対象とされる情報家電機器が多くなると、操作対象とする情報家電機器を選択して操作するまでに要する操作ステップがどうしても多くなり、また操作完了までのステップも多くなってしまう。この点、リモコン操作端末機の表示部をワイドなものとし、操作対象とされる情報家電機器を一覧表示する等すれば、前記操作ステップを幾分は少なくすることは可能である。しかし、個人情報端末機或いは携帯電話機等のように表示部が比較的小さい（表示部を大きくできない）機器をリモコン操作端末機として用いる場合は、階層的なメニュー画面を用意せねばならず、操作ステップの増加は免れない。なお、操作性を優先して、操作対象とされる情報家電機器の数を限定することも考えられるが、それではホームネットワークの効用を十分活用できないことになる。
【特許文献１】特開２００４−５６３８４号公報
【発明の開示】
【発明が解決しようとする課題】
【０００４】
本発明は、以上のような事情に鑑みてなされたもので、多くの情報家電機器を操作対象とし、しかも個人情報端末機や携帯電話機等のように表示部が比較的小さい機器をリモコン操作端末機として用いた場合でも、少ない操作ステップでユーザが希望する情報家電機器の操作をできるようにしたリモコン操作端末機及びその動作プログラムを提供することを目的とする。
【課題を解決するための手段】
【０００５】
本発明の請求項１にかかるリモコン操作端末機は、ユーザの居宅内に存在する複数の宅内機器を遠隔的に操作する機能を有する多機種対応型のリモコン操作端末機であって、前記複数の宅内機器についての所定のリモコン操作メニューを表示する表示部と、現在時刻情報を発生可能な時計機能部と、ユーザの生活スケジュールに基づき時刻情報に関連付けて予め設定された生活行為類型データと、該生活行為類型の各々と使用される宅内機器とを対応付けた対応データとを記憶する記憶部と、前記現在時刻情報と前記生活行為類型データに含まれる時刻情報とを参照して、現在時刻におけるユーザの生活行為類型を特定すると共に、前記対応データを参照して特定された生活行為類型に対応する宅内機器を特定するデータ処理部と、前記データ処理部で特定された宅内機器についての操作が可能なリモコン操作メニューを、前記現在時刻情報に応じて前記表示部に表示させる表示制御部と
を具備することを特徴とする。
【０００６】
この構成によれば、データ処理部により、時刻情報に関連付けて予め設定されたユーザの生活行為類型の各々に応じて使用される宅内機器が時刻毎に特定されるようになる。そして、表示制御部により、特定された宅内機器についてのリモコン操作メニューが表示部に表示されるようになる。従って、当該リモコン操作端末機が多くの宅内機器を操作対象としている場合でも、ユーザの生活スケジュール（時刻）に応じて、各々の生活行為類型において使用される宅内機器を操作するためのリモコン操作メニューが選択的に表示部に表示され、これによりユーザは、少ない操作ステップで希望する宅内機器の選択、操作ができるようになる。
【０００７】
上記構成において、前記表示制御部は、前記複数の宅内機器の全ての操作選択が可能な初期メニュー又は予め選定された特定の宅内機器についての操作が可能なリモコン操作メニューを表示させる第１の表示モードと、前記データ処理部で特定された宅内機器についての操作が可能なリモコン操作メニューを表示させる第２の表示モードとが選択的に実行可能とされており、前記表示制御部は、前記現在時刻情報に応じて前記第２の表示モードを優先的に実行することが望ましい（請求項２）。この構成によれば、ユーザの生活スケジュールに応じた時刻毎に第２の表示モードが実行され、各々の生活行為類型において使用される宅内機器を操作するためのリモコン操作メニューが優先的に表示されるようになる。そして、各々の時刻における生活行為類型にて使用されない宅内機器を操作する場合には、第１の表示モードに切り替えることで、このような宅内機器の選択、操作が可能となる。
【０００８】
上記請求項１又は２の構成において、前記記憶部に記憶されている生活行為類型データ及び対応データの新規登録及び書き換えが可能な入力手段を有することが望ましい（請求項３）。この構成によれば、入力手段により生活行為類型データ及び対応データを新規登録したり、更新したりすることが可能となる。
【０００９】
本発明の請求項４にかかるリモコン操作端末機用の動作プログラムは、所定の処理制御手段及び表示部と、現在時刻情報を発生可能な時計機能部と、ユーザの生活スケジュールに基づき時刻情報に関連付けて予め設定された生活行為類型データと、該生活行為類型の各々と使用される宅内機器とを対応付けた対応データとを記憶する記憶部とを具備し、ユーザの居宅内に存在する複数の宅内機器を遠隔的に操作する機能を有する多機種対応型のリモコン操作端末機を動作させるためのプログラムであって、前記処理制御手段に、前記現在時刻情報と前記生活行為類型データに含まれる時刻情報とを参照して、現在時刻におけるユーザの生活行為類型を特定する第１処理ステップと、前記対応データを参照して特定された生活行為類型に対応する宅内機器を特定する第２処理ステップと、前記特定された宅内機器についての操作が可能なリモコン操作メニューを、前記現在時刻情報に応じて前記表示部に表示させる表示制御ステップとを実行させることを特徴とする。
【００１０】
この構成によれば、リモコン操作端末機が多くの宅内機器を操作対象としている場合でも、ユーザの生活スケジュールに応じて、各々の生活行為類型において使用される宅内機器を操作するためのリモコン操作メニューを、リモコン操作端末機に備えられている表示部に選択的に表示させることが可能となる。
【発明の効果】
【００１１】
請求項１にかかるリモコン操作端末機、及び請求項４のリモコン操作端末機用の動作プログラムによれば、ユーザの生活スケジュールに応じて、各々の生活行為類型において使用される宅内機器を操作するためのリモコン操作メニューが選択的に表示部に表示される。すなわち、各々の時刻において必要最小限の宅内機器に対応するリモコン操作メニューが表示されることから、個人情報端末機や携帯電話機等のように表示部が比較的小さい機器をリモコン操作端末機として用いた場合でも、必要十分なメニュー表示を行い易くなる。従って、ユーザは、少ない操作ステップで希望する宅内機器の選択、操作ができ、これにより操作性を向上させることができる。
【００１２】
請求項２にかかるリモコン操作端末機によれば、所定の時刻毎に、第２の表示モードにより、ユーザの各々の生活行為類型において使用される宅内機器を操作するためのリモコン操作メニューが優先的に表示される。一方、他の宅内機器の操作を行う場合には、第１の表示モードに切り替えられる。従って、ユーザの操作性をより一層向上させることができる。
【００１３】
請求項３にかかるリモコン操作端末機によれば、入力手段により生活行為類型データ及び対応データを新規登録したり、更新したりすることが可能となるので、ユーザの生活スケジュールに変化があった場合でも、自在に対応できるようになる。
【発明を実施するための最良の形態】
【００１４】
以下、図面に基づいて、本発明の実施形態の一例につき詳細に説明する。
図１は、本発明にかかるリモコン操作端末機を用いた宅内機器（情報家電機器）の操作システムＳの構成を示す模式図である。この操作システムＳは、ユーザの居宅Ｈ内に設置されている遠隔操作が可能な宅内機器、例えば照明器具１０１、テレビ１０２、エアコン１０３が、ホームネットワークＨＮを介して据付型のリモコン操作端末機２及びホームサーバとしてのパーソナルコンピュータ３と接続されている。
【００１５】
また、この操作システムＳには、可搬型のリモコン操作端末機としての携帯電話機２０が備えられている。この携帯電話機２０は、インターネットＩＮを介して前記パーソナルコンピュータ３と通信可能とされ、該パーソナルコンピュータ３を通して居宅Ｈ内の前記照明器具１０１、テレビ１０２及びエアコン１０３の操作を、居宅Ｈの外部から（或いは居宅Ｈの内部において）行えるようになっている。なお、前記据付型のリモコン操作端末機２に代えて、可搬型の個人情報端末機等を用いるようにしても良い。
【００１６】
図２は、前記操作システムＳにおけるリモコン操作端末機２（携帯電話機２０）の機能的な構成を示す機能ブロック図である。このリモコン操作端末機２は、ホームネットワークＨＮに接続されている宅内機器１１〜１３（上記照明器具１０１、テレビ１０２及びエアコン１０３が相当）を遠隔操作するもので、機能的に、通信部２１、表示部２２、操作部２３、時計機能部２４、記憶部２５及び処理制御部２６を備えている。
【００１７】
通信部２１は、ホームネットワークＨＮを介して宅内機器１１〜１３と信号の送受信を行う機能部である。すなわち、リモコン操作端末機２側からは、宅内機器１１〜１３に対するＯＮ−ＯＦＦ制御信号、動作信号、予約信号等を送信する。一方、宅内機器１１〜１３側からは、動作状態に関するイベント情報等を受信する。
【００１８】
表示部２２は、ＬＣＤパネル等からなり、宅内機器１１〜１３を遠隔操作するためのリモコン操作メニューを表示するためのものである。操作部２３は、所定の入力キー等からなり、ユーザからの宅内機器１１〜１３に対する各種の操作情報の入力を受け付ける。また操作部２３は、後述の生活スケジュール記憶部２５１、対応データ記憶部２５２に対する初期設定情報、更新情報の入力も受け付ける。なお、前記表示部２２を、タッチパネル形式のものとして構成することも可能であり、この場合は表示部２２と操作部２３とが兼用される構成とされる。
【００１９】
時計機能部２４は、現在の日付及び時刻を計時するＩＣ（Integrated Circuit）チップ回路等からなり、常時、現在時刻情報を発生するものである。
【００２０】
記憶部２５は、ＲＡＭ（Random Access Memory）、或いはＥＰＲＯＭ（Erasable and Programmable ROM）等からなり、前記表示部２２に表示させるリモコン操作メニューの表示制御のために必要なデータ情報を記憶するもので、生活スケジュール記憶部２５１、対応データ記憶部２５２及び表示パターン記憶部２５３を備えている。
【００２１】
生活スケジュール記憶部２５１は、ユーザの個人的な生活行動に関する生活行為類型データを記憶する。この生活行為類型データは、ユーザの生活スケジュールに基づき時刻情報に関連付けて予め設定される。
【００２２】
図３は、このような生活行為類型データ４１の一例を示す表形式の図である。図３に示すように、この生活行為類型データ４１は、時刻フィールド４１１と生活行為類型フィールド４１２とを備え、当該ユーザにおける２４時間分の生活行為類型（生活行為類型フィールド４１２）と、かかる生活行為類型が実行される時刻（時刻フィールド４１１）とが関連付けられたデータである。
【００２３】
この生活スケジュール記憶部２５１に格納されている生活行為類型データ４１は、後述の処理制御部２６により適宜読み出され、前記表示部２２に表示させるリモコン操作メニューの表示制御のための参照データとして活用される。また、上述のように、操作部２３からの入力情報が与えられることで、当該生活行為類型データ４１が生成（新規登録）され、更新（書き換え）されるものである。
【００２４】
対応データ記憶部２５２は、前記生活行為類型フィールド４１２に記憶されている生活行為類型の各々と使用される宅内機器とを対応付けた対応データとを記憶する。この対応データは、居宅Ｈにおける照明器具１０１、テレビ１０２、エアコン１０３等（図１参照）の設置状況、ユーザの属性により予め設定される。
【００２５】
図４は、このような対応データ４２の一例を示す表形式の図である。図４に示すように、この対応データ４２は、生活行為類型フィールド４２１と使用宅内機器フィールド４２２とを備え、それぞれの生活行為類型（生活行為類型フィールド４２１）において、どの宅内機器が使用されるか（使用宅内機器フィールド４２２）を対応付けられたデータである。図４に示す例では、「睡眠」という生活行為類型において、「寝室照明」、「読書用照明」、「寝室エアコン」、「廊下照明」、「寝室テレビ」及び「寝室オーディオ」が使用される（使用可能性の高い）宅内機器として登録されている例を示している。この対応データ４２も、後述の処理制御部２６により適宜読み出され、前記表示部２２に表示させるリモコン操作メニューの表示制御のための参照データとして活用される。また、操作部２３からの入力情報が与えられることで、当該対応データ４２が生成され、更新されるものである。
【００２６】
表示パターン記憶部２５３は、表示部２２に表示させるリモコン操作メニューの各種表示パターンを記憶する。例えば、複数の宅内機器に対応するリモコン操作メニューの表示配列パターンや、宅内機器の個別操作画面がどのようなキャラクタで表示させるか等の各種コンテンツを記憶するものである。
【００２７】
処理制御部２６は、ＣＰＵ（中央演算処理装置）等からなり、ユーザの生活行為類型に合わせて、表示部２２に表示させるリモコン操作メニューを時刻に応じて切り替える処理制御を行う機能部であり、時刻情報取得部２６１、データ処理部２６２及び表示制御部２６３を備えて構成されている。
【００２８】
時刻情報取得部２６１は、前記時計機能部２４から現在時刻情報を所定のサンプリング間隔（例えば１分毎）で取得する。
【００２９】
データ処理部２６２は、前述の時刻情報取得部２６１、生活スケジュール記憶部２５１及び対応データ記憶部２５２のデータを参照して、所定のデータ処理を行う。具体的には、時刻情報取得部２６１で取得された現在時刻情報と、生活スケジュール記憶部２５１の生活行為類型データ４１（図３参照）における時刻フィールド４１１とを対照させて、現在時刻におけるユーザの生活行為類型を特定する。つまり、当該時刻において、生活行為類型フィールド４１２に格納されている生活行為類型が何であるかを特定する。例えば、現在時刻が０：００であれば、生活行為類型は「睡眠」であると判定する。
【００３０】
さらに、データ処理部２６２は、前記対応データ４２（図４参照）を参照して、上記で特定された生活行為類型に対応する宅内機器を特定する。具体的には、特定された生活行為類型と対応データ記憶部２５２に格納されている対応データ４２における使用宅内機器フィールド４２２とを対照させることで、現在時刻におけるユーザの生活行為類型で使用される宅内機器を特定する。例えば、生活行為類型が「睡眠」であれば、上述のように使用される宅内機器は、「寝室照明」、「読書用照明」、「寝室エアコン」、「廊下照明」、「寝室テレビ」及び「寝室オーディオ」であると特定する。
【００３１】
表示制御部２６３は、前記データ処理部２６２で特定された宅内機器についての操作が可能なリモコン操作メニューを、現在時刻情報に応じて前記表示部２２に優先的に表示させる表示制御を行う。すなわち、表示制御部２６３は、宅内機器１１〜１３の全ての操作選択が可能な初期メニュー又は予め選定された特定の宅内機器についての操作が可能なリモコン操作メニューを表示させる基本機能（第１の表示モード）を有する一方で、前記現在時刻情報に応じて、前記データ処理部２６２で特定された宅内機器についての操作が可能なリモコン操作メニューを優先的に表示させる優先表示機能（第２の表示モード）を有している。
【００３２】
図５〜図７は、表示制御部２６３により現在時刻に応じて生成され、表示部２２に優先的に表示されるリモコン操作メニューの例を示す平面図である。図５は、睡眠時におけるリモコン操作メニュー画面５１を示している。この睡眠時リモコン操作メニュー画面５１は、図３のような生活行為類型データ４１が生活スケジュール記憶部２５１に格納されている場合、毎日の０：００〜６：００の時間帯において優先的に表示される。そして、図４のような対応データ４２が対応データ記憶部２５２に格納されているとした場合、図５に示すように、表示制御部２６３により睡眠時リモコン操作メニュー画面５１は、寝室照明操作部５１１、読書用照明操作部５１２、寝室エアコン操作部５１３、廊下照明操作部５１４、寝室テレビ操作部５１５及び寝室オーディオ操作部５１６を具備するものとされる。
【００３３】
ここで、照明関係の操作キャラクタ、すなわち寝室照明操作部５１１、読書用照明操作部５１２及び廊下照明操作部５１４については、「ＯＮ」、「ＯＦＦ」の操作キャラクタのみが表示されている。一方、寝室エアコン操作部５１３には、「ＯＮ」、「ＯＦＦ」の操作キャラクタに加えて、室温調整キャラクタ、「冷房」及び「暖房」の運転選択キャラクタが表示されている。また、寝室テレビ操作部５１５には、チャンネル選択キャラクタ、音量調整キャラクタが付加されている。さらに、寝室オーディオ操作部５１６には、動作選択キャラクタ、音量調整キャラクタが付加されている。これらの表示は、前記表示パターン記憶部２５３に記憶されているパターン情報に基づいて実行される。
【００３４】
これに加えて、睡眠時リモコン操作メニュー画面５１には、モード切替部５１７が備えられている。このモード切替部５１７は、時刻に応じて優先的に表示される生活行動に応じたリモコン操作メニューを、各々の時刻における生活行為類型にて使用されない宅内機器を操作可能なリモコン操作メニューに切り替える場合等に用いられるものである。すなわち、このモード切替部５１７が押下若しくは選択されると、表示制御部２６３は、表示部２２に表示されている睡眠時リモコン操作メニュー画面５１（第２の表示モード）を、居宅Ｈに備えられている宅内機器の全ての操作選択が可能な初期メニュー（第１の表示モード）又は予め選定された特定の宅内機器についての操作が可能なリモコン操作メニュー画面に切り替える。このような表示制御を行うことで、ユーザの操作性を向上させることができる。
【００３５】
次に図６は、食事時におけるリモコン操作メニュー画面５２を示している。この食事時リモコン操作メニュー画面５２は、図３のような生活行為類型データ４１が生活スケジュール記憶部２５１に格納されている場合、毎日の７：００台、１９：００台の時間帯において優先的に表示される。そして、図４のような対応データ４２が対応データ記憶部２５２に格納されているとした場合、図６に示すように、表示制御部２６３により食事時リモコン操作メニュー画面５２は、キッチン照明操作部５２１、ダイニング照明操作部５２２、ＬＤＫエアコン操作部５２３、リビング照明操作部５２４、電気ポット操作部５２５及びリビングテレビ操作部５２６を具備するものとされる（各操作部のキャラクタの説明は省略する）。そして、上記と同様なモード切替部５２７が備えられている。
【００３６】
また図７は、くつろぎ時におけるリモコン操作メニュー画面５３を示している。このくつろぎ時リモコン操作メニュー画面５３は、図３のような生活行為類型データ４１が生活スケジュール記憶部２５１に格納されている場合、毎日の１８：３０〜の時間帯において優先的に表示される。そして、図４のような対応データ４２が対応データ記憶部２５２に格納されているとした場合、図７に示すように、表示制御部２６３によりくつろぎ時リモコン操作メニュー画面５３は、リビング照明操作部５３１、リビングテレビ操作部５３２、ビデオ操作部５３３、ＬＤＫエアコン操作部５３４及びリビングオーディオ操作部５３５を具備するものとされる（各操作部のキャラクタの説明は省略する）。そして、上記と同様なモード切替部５３６が備えられている。
【００３７】
続いて、以上の通り構成されたリモコン操作端末機２（携帯電話機２０）の動作について、図８に示すフローチャートに基づいて説明する。処理が開始されると、時計機能部２４から処理制御部２６の時刻情報取得部２６１に現在時刻情報が取得される（ステップＳ１）。
【００３８】
そして、データ処理部２６２により、生活スケジュール記憶部２５１に格納されている生活行為類型データ４１が読み出され、時刻情報取得部２６１で取得された現在時刻情報と生活行為類型データ４１とが参照され、現在時刻におけるユーザの生活行為類型が特定される（ステップＳ２）。また、対応データ記憶部２５２に格納されている対応データ４２が読み出され、ステップＳ２で特定された生活行為類型において使用される宅内機器が特定される（ステップＳ３）。そして、表示制御部２６３により、例えば図５〜図７に例示したような、ステップＳ３で特定された宅内機器についての操作が可能なリモコン操作メニューが、表示部２２に表示される（ステップＳ４）。
【００３９】
その後、表示部２２の表示モードの切り替え指示があったか否かが確認される（ステップＳ５）。具体的には、図５〜図７に例示したリモコン操作メニュー画面５１〜５３に備えられているモード切替部５１７、５２７、５３６の選択指示があったか否かが確認される。表示モードの切り替え指示があった場合（ステップＳ５でＹＥＳ）、表示制御部２６３により表示部２２のメニュー表示が、宅内機器の全ての操作選択が可能な初期メニュー等（全表示モード：第１の表示モード）に切り替えられる（ステップＳ６）。
【００４０】
表示モードの切り替え指示がなかった場合（ステップＳ５でＮＯ）、或いはステップＳ６の処理後、新たに時計機能部２４から処理制御部２６の時刻情報取得部２６１に現在時刻情報が取得される（ステップＳ７）。そして、同様にして、現在時刻におけるユーザの生活行為類型が特定される（ステップＳ８）。ここで、前回に特定された生活行為類型と今回特定された生活行為類型とが一致しているか否かが確認される（ステップＳ９）。
【００４１】
もし、生活行為類型に変更があった場合は（ステップＳ９でＹＥＳ）、ステップＳ８で特定された生活行為類型において使用される宅内機器が特定される（ステップＳ１０）。そして、ステップＳ６を経由して表示部２２における表示が全表示モードになっている場合は、この全表示モードを解除する処理が行われ（ステップＳ１１）、ステップＳ４に戻って、ステップＳ１０で特定された宅内機器についての操作が可能なリモコン操作メニューが、表示部２２に表示される（ステップＳ４）。
【００４２】
一方、生活行為類型に変更がなかった場合は（ステップＳ９でＮＯ）、必要に応じてステップＳ１１を実行した上で、先にステップＳ３で特定された宅内機器についての操作が可能なリモコン操作メニューの表示が、表示部２２において継続されるものである（ステップＳ４）。
【００４３】
このような動作を行うリモコン操作端末機２（携帯電話機２０）によれば、ユーザの生活スケジュールに応じて、各々の生活行為類型において使用される宅内機器を操作するためのリモコン操作メニューが選択的に表示部２２に表示されるようになる。すなわち、各々の時刻において必要最小限の宅内機器に対応するリモコン操作メニューが表示部２２に表示されることから、表示部２２のサイズが小さいリモコン操作端末機であっても、必要十分なメニュー表示を行い易くなる。従って、ユーザは、少ない操作ステップで希望する宅内機器の選択、操作ができ、これにより操作性を向上させることができる。
【００４４】
以上、本発明にかかるリモコン操作端末機２（携帯電話機２０）の実施形態について説明したが、これは本発明を実施する一例であり、種々の変形実施が可能である。例えば、リモコン操作メニュー画面５１〜５３に、詳細操作メニュー画面の選択キーを設け、選択された特定の宅内機器について、より詳細な操作メニュー画面が表示可能な構成としても良い。また、例えば２つ生活行為類型が同じ時間帯に実行されるような場合、或いは１つの生活行為類型で使用される宅内機器の数が多い場合は、例えば２つのリモコン操作メニュー画面を準備し、これらをワンタッチで切り替え可能な構成としても良い。
【００４５】
また、上述のリモコン操作端末機２としてではなく、該リモコン操作端末機２に備えられているコンピュータに制御動作を実行させる制御プログラムとして提供することもできる。このようなプログラムは、コンピュータに付属するフレキシブルディスク、ＣＤ−ＲＯＭ、ＲＯＭ、ＲＡＭおよびメモリカードなどのコンピュータ読取り可能な記録媒体にて記録させて、プログラム製品として提供することもできる。若しくは、リモコン操作端末機２（或いは携帯電話機２０）が備えるＲＯＭなどの記録媒体にて記録させて、プログラムを提供することもできる。また、ネットワークを介したダウンロードによって、プログラムを提供することもできる。
【図面の簡単な説明】
【００４６】
【図１】本発明にかかるリモコン操作端末機２（携帯電話機２０）を用いた宅内機器の操作システムＳの構成を示す模式図である。
【図２】リモコン操作端末機２（携帯電話機２０）の機能的な構成を示す機能ブロック図である。
【図３】生活行為類型データの一例を示す表形式の図である。
【図４】対応データの一例を示す表形式の図である。
【図５】睡眠時におけるリモコン操作メニュー画面の例を示す平面図である。
【図６】食事時におけるリモコン操作メニュー画面の例を示す平面図である。
【図７】くつろぎ時におけるリモコン操作メニュー画面の例を示す平面図である。
【図８】本発明にかかるリモコン操作端末機２（携帯電話機２０）の動作を示すフローチャートである。
【符号の説明】
【００４７】
１１、１２、１３  宅内機器
１０１  照明器具（宅内機器）
１０２  テレビ（宅内機器）
１０３  エアコン（宅内機器）
２      リモコン操作端末機
２０    携帯電話機（リモコン操作端末機）
２１    通信部
２２    表示部
２３    操作部
２４    時計機能部
２５    記憶部
２５１  生活スケジュール記憶部
２５２  対応データ記憶部
２５３  表示パターン記憶部
２６    処理制御部
２６１  時刻情報取得部
２６２  データ処理部
２６３  表示制御部
３      ホームサーバ
４１    生活行為類型データ
４２    対応データ
５１〜５３  リモコン操作メニュー画面
【図１】
2007036394.tif 000003
【図２】
2007036394.tif 000004
【図３】
2007036394.tif 000005
【図４】
2007036394.tif 000006
【図５】
2007036394.tif 000007
【図６】
2007036394.tif 000008
【図７】
2007036394.tif 000009
【図８】
2007036394.tif 000010